(57)【要約】【課題】  位置決めピンを起立させる位置を相対的に決められるベーンポンプを提供することである。【解決手段】  カバーｃの凹部底面１３ａには軸受凸部２０を設け、この軸受凸部２０にその外周と中心を一致させた軸受穴２５を形成するとともに、上記軸受凸部２０の中心と、この軸受凸部２０に組み入れるサイドプレートの中心孔２７の中心とは、両者を組み合わせたとき、それらの中心が一致する構成にし、上記凹部の底面１３ａに位置決めピン２８を起立するとともに、この位置決めピン２８はカバーの凹部１３に組み入れたサイドプレート１２を貫通してカムリング３に突き入れられる構成にし、位置決めピン２８がカムリング３に突き入れられたとき、ボディｂ内に設けた軸受中心、カムリング３の中心およびカバーｃに設けた軸受穴２５中心のそれぞれの回転方向位置および径方向位置が一致する関係にした点に特徴を有する。【選択図】  図１
2006105032.tif 000002
【特許請求の範囲】
【請求項１】
ボディと、このボディに形成したボディボアと、このボディボアをふさぐカバーと、上記ボディボアに組み込んだカムリングと、このカムリング内に組み入れたロータと、このロータに形成したベーン溝に組み込んだ複数のベーンと、上記ロータを貫通するとともにロータと一体回する回転軸と、ボディ内にあって上記回転軸を支持する軸受と、カバーに形成した凹部と、この凹部に組み入れるサイドプレートと、上記凹部の底面に設けるとともに、上記回転軸の貫通端を支持する軸受穴とを備えたベーンポンプにおいて、カバーの凹部底面には軸受凸部を設け、この軸受凸部にその外周と中心を一致させた軸受穴を形成するとともに、上記軸受凸部の中心と、この軸受凸部に組み入れるサイドプレートの中心孔の中心とは、両者を組み合わせたとき、それらの中心が一致する構成にし、上記凹部の底面に位置決めピンを起立するとともに、この位置決めピンはカバーの凹部に組み入れたサイドプレートを貫通してカムリングに突き入れられる構成にし、位置決めピンがカムリングに突き入れられたとき、ボディ内に設けた軸受中心、カムリングの中心およびカバーに設けた軸受穴中心のそれぞれの回転方向位置および径方向位置が一致する関係にしたベーンポンプ。
【請求項２】
上記ロータを挟んでカバーとは反対側面であるボディボア内にサイドプレートを設け、カバーに設けたサイドプレートと上記ボディに設けたサイドプレートとをロータを挟んで対向させ、かつ、両サイドプレートのそれぞれには、ベーンの両側面に作用する圧力をバランスさせるための圧力導入部を設ける一方、カバー側に設けたサイドプレートには、上記カバーの凹部に起立させた位置決めピンとは別の位置決めピンを起立させ、これら両ピンはカムリングに突き入れられる構成にするとともに、両位置決めピンがカムリングに突き入れられたとき、リア側サイドプレートの圧力導入部、フロント側サイドプレートの高圧導入溝等の相対位置が保たれる構成にした請求項１記載のベーンポンプ。
【請求項３】
カバーの凹部底面には吸い込み流路を設けるとともに、この凹部底面側に設けた位置決めピンは上記吸い込み流路を外して起立させた請求項２記載のベーンポンプ。
【請求項４】
カバー側のサイドプレートには、カバーの凹部底面に設けた位置決めピンがはめられる位置決め凹部を形成する一方、上記凹部底面に設けた位置決めピンに上記位置決め凹部をはめた状態で、その位置決めピンを中心にサイドプレートを回動したとき、サイドプレートの中心の回動軌跡が軸受凸部の中心を通る構成にした請求項１〜３のいずれかに記載したベーンポンプ。
【発明の詳細な説明】
【技術分野】
【０００１】
この発明は、カバーに位置決めピンを設けたベーンポンプに関する。
【背景技術】
【０００２】
この種のベーンポンプとして特許文献１に開示されたものが従来から知られている。この特許文献１に記載された従来のベーンポンプは、ボディに設けたボディボア内にカムリングを組み込むとともに、このカムリング内に、複数のベーンを出入自在にしたロータを組み入れている。そして、このロータは駆動軸に連係し、駆動軸の回転にともなって回転するとともに、そのロータに設けた上記ベーンをカムリングの内側に沿って出入させる。このようにロータが回転する過程で、ベーンとベーンとで区画された室が収縮したり、あるいは拡張したりするが、その拡張時が吸い込み行程になり、収縮時が吐出行程になる。
【０００３】
さらに、上記カムリングの一方の側面であるボディ側にサイドプレートを設けて、このサイドプレートの外径を、ボディボアに設けたカムリングの外径と等しくするとともに、サイドプレートの背面側全面に吐出圧あるいはそれ以上の高圧を作用させている。このようにサイドプレートの背面に吐出圧あるいはそれ以上の高圧を作用させることによって、サイドプレートをカムリング側に圧接し、上記ベーン間の室の圧力でカムリングとサイドプレートとの微少すき間が大きくならないようにする。このようにすることによってベーンで区画される上記室のシール性を高めるようにしている。
【０００４】
さらに、上記のようにしたベーンポンプのカバー側には、一対の位置決めピンを設けるとともに、この一対の位置決めピンをカムリングとボディボアとの境界部分に突き入れることによって、ボディとカバーとの相対位置関係が決められるとともに、ボディボアの中心とカムリングおよびサイドプレートの中心も一致するようにしている。
【特許文献１】特開昭６２−２７１９８２号公報
【発明の開示】
【発明が解決しようとする課題】
【０００５】
上記のようにした従来のベーンポンプでは、一対の位置決めピンによって、ボディとカバーとの相対位置関係が特定されるとともに、ボディボアの中心とカムリングおよびサイドプレートの中心も一致するようにしているが、それらはすべて位置決めピンの起立位置だけに依存している。言い換えると、カバー側面において、位置決めピンを起立させる位置を絶対的に決めなければ、他の部材の相対位置が決まらない構造になっている。そのために、位置決めピンを起立させるためのピン孔の形成が難しくなっているという問題があった。
この発明の目的は、位置決めピンを起立させる位置を相対的に決められるベーンポンプを提供することである。
【課題を解決するための手段】
【０００６】
第１の発明は、ボディと、このボディに形成したボディボアと、このボディボアをふさぐカバーと、上記ボディボアに組み込んだカムリングと、このカムリング内に組み入れたロータと、このロータに形成したベーン溝に組み込んだ複数のベーンと、上記ロータを貫通するとともにロータと一体回する回転軸と、ボディ内にあって上記回転軸を支持する軸受と、カバーに形成した凹部と、この凹部に組み入れるサイドプレートと、上記凹部の底面に設けるとともに、上記回転軸の貫通端を支持する軸受穴とを備えたベーンポンプにおいて、カバーの凹部底面には軸受凸部を設け、この軸受凸部にその外周と中心を一致させた軸受穴を形成するとともに、上記軸受凸部の中心と、この軸受凸部に組み入れるサイドプレートの中心孔の中心とは、両者を組み合わせたとき、それらの中心が一致する構成にし、上記凹部の底面に位置決めピンを起立するとともに、この位置決めピンはカバーの凹部に組み入れたサイドプレートを貫通してカムリングに突き入れられる構成にし、位置決めピンがカムリングに突き入れられたとき、ボディ内に設けた軸受中心、カムリングの中心およびカバーに設けた軸受穴中心のそれぞれの回転方向位置および径方向位置が一致する関係にした点に特徴を有する。
【発明の効果】
【０００７】
第１の発明のベーンポンプによれば、カバーの凹部底面設けた軸受凸部は、その外周の中心を軸受穴の中心と一致させ、しかも、この軸受凸部の中心と、この軸受凸部に組み入れるサイドプレートの中心孔の中心とは、これらを組み合わせたときお互いの軸心が一致する。このようにカバーの軸受凸部に対してサイドプレートの軸心が一致した状態で、上記凹部底面に設けた位置決めピンがサイドプレートを貫通してカムリングに突き入れられるので、カバー、サイドプレートおよびカムリングの相対回転位置および径方向の位置が決められることになる。したがって、位置決めピンをカバーの凹部底面に起立させれば、その位置決めピンを基準にしてその位置決めピンが突き入れられるピン孔を特定できることになるもので、位置決めピン自体の位置特定も簡単になる。
【０００８】
また、この第１の発明では、上記位置決めピンがカムリングに突き入れられたとき、ボディ内に設けた軸受中心、カムリングの中心およびカバーに設けた軸受穴中心のそれぞれの相対位置が一致する関係にしたので、総合的な相対関係が簡単に定まることになる。
【発明を実施するための最良の形態】
【０００９】
図示の実施形態は、ボディｂにボディボア１を形成するとともに、このボディボア１をカバーｃでふさぐようにしたものである。このようにしたボディｂのボディボア１には、フロント側サイドプレート２およびカムリング３を組み込んでいるが、上記ボディボア１は図２に示すように正円にはなっていない。そして、上記カムリング３は、その中にロータ４を組み入れるが、このロータ４は、回転軸５と一体回転するとともに、回転軸５の軸方向に対しては移動可能にしたものである。このようにしたロータ４には、放射状にかつ等間隔にベーン組み込み用のベーン溝６を形成し、これらベーン溝６にベーン７を出入自在に組み込んでいる。また、上記ベーン溝６は、その基端を背圧室８とし、この背圧室８に吐出圧が導かれるようにしている。
【００１０】
したがって、回転軸５とともにロータ４が回転すると、ベーン７はその先端をカムリング３の内周に接触させながら、カムリング３の内周の軌跡に沿って出入するとともに、各ベーン７間に形成される室が拡張する吸い込み行程と、それが収縮する吐出行程とを繰り返すことになる。そして、上記カムリング３の側面に設けたフロント側サイドプレート２の背面にはシール９で区画された高圧エリア１０が形成されているが、この高圧エリア１０は、フロント側サイドプレート２に形成した高圧導入孔１１を介して吐出側に連通している。なお、高圧導入孔１１はこの発明の圧力導入部を構成するものである。
【００１１】
カバーにサイドプレートが装着されると、カバーに配置した１本のピンと、ボア部でサイドプレートの回転方向の位置と径方向の位置とが決まる。さらに、前記カバー側から、突出したピントサイドプレートに設けられたピントで、カムリングやハウジング側サイドプレートの位置が決まる。
ボディボア１をふさぐカバーｃには、リア側サイドプレート１２を組み込むための凹部１３を形成している。そして、上記凹部１３の底面１３ａには、吸い込み溝１４を形成しているが、この吸い込み溝１４はボディｂに設けた吸い込みポート１５に連通させている。
【００１２】
また、上記吸い込み溝１４よりも中心側に、リア側サイドプレート１２の背面凸部１６をはめ込むための壁面１７ａ，１７ｂを立ち上がらせている。なお、上記背面凸部１６は、図８からも明らかなように楕円形にして、カバーｃとの接触面積をより大きくして、カバーｃの座屈強度を向上させるようにしている。ただし、この発明において、背面凸部１６を楕円形にすることは必須の構成ではない。例えば、この背面凸部１６を真円にしてもよい。
【００１３】
そして、上記背面凸部１６をカバーｃの軸受凸部２０にはめ込むことによって、リア側サイドプレート１２とがカバーｃの中心とを一致させるようにしている。また、上記のように背面凸部１６を壁面１７ａ，１７ｂにはめ込むことによって、これら背面凸部１６と壁面１７ａ，１７ｂとの間に設けたシール２２で、上記吸い込み溝１４の開口部分をふさぐようにしている。このように開口部分がふさがれた状態において、吸い込み溝１４とリア側サイドプレート１２とが相まって吸い込み用通路を構成する。
【００１４】
ただし、上記リア側サイドプレート１２であって、上記背面凸部１６の短軸方向に対応する部分に、吸い込み用の切り欠き部１８ａ，１８ｂを形成しているが、この切り欠き部１８ａ，１８ｂと上記吸い込み溝１４の両端部１４ａ，１４ｂとが相まって、当該ポンプの吸い込み行程位置に対応する吸い込み孔を構成するものである。
【００１５】
さらに、上記壁面１７ａ，１７ｂの内側には、上記背面凸部１６が接触する接触面１９を残存させるとともに、凹部１３の中心に設けた軸受凸部２０と上記接触面１９との間に高圧エリア用凹部２１を形成している。この高圧エリア用凹部２１の周囲にはシール２２を設け、上記壁面１７ａ，１７ｂ間に組み込んだリア側サイドプレート１２の背面凸部１６との間でシール機能を発揮するようにしている。
【００１６】
上記のようにシール２２で区画されたエリアが高圧エリア２３ということになるが、この高圧エリア２３は、図１および図３からも明らかなように、リア側サイドプレート１２に形成した高圧導入孔２４を介して前記背圧室８に連通させている。したがって、この高圧エリア２３には、背圧室８の圧力が導かれることになる。なお、背圧室８の圧力は、当該ポンプの吐出圧以上になることがある。それは、ベーン７がベーン溝６に進入するときに、ベーン７のピストン作用で背圧室８の圧力を上昇させるからである。
【００１７】
また、上記した軸受凸部２０には、その中心部分に軸受穴２５を形成しているが、この軸受穴２５の中心と軸受凸部２０の外周中心とを同心としている。そして、上記カバーｃをボディｂに取り付けたとき、上記軸受穴２５が、ボディｂに設けた軸受２６およびカムリング３と同心になる構成にしている。しかも、この軸受凸部２０の外周と、前記リア側サイドプレート１２に形成した中心孔２７とをほぼ同径にして、これらの間にシール４０を介在させている。このシール４０によってで高圧エリア用凹部２１のシール機能を果たしている。
なお、図中符号２５ａは軸受穴５に圧入した軸受ブッシュである。
【００１８】
さらに、上記凹部１３の底面１３ａには、図４に示すように位置決めピン２８を起立させている。なお、この位置決めピン２８を起立させるためには、それを上記底面１３ａに圧入してもよいし、いわゆるすき間ばめにしてもよい。この位置決めピン２８は、カバーｃをボディｂに組み付けたとき、図２に示すように、その先端がカムリング３に設けた位置決め凹部２９に進入する関係にしている。なお、位置決めピン２８を起立させているところは、凹部１３の底面１３ａであるが、それは吸い込み溝１４はもちろん、接触面１９および高圧エリア用凹部２１を外した位置ということである。
【００１９】
一方、リア側サイドプレート１２には、図６に示すように位置決めピン３０を起立させるとともに、この位置決めピン３０と対向する位置に位置決め凹部３１を形成しているが、この位置決め凹部３１は上記底面１３ａに起立した位置決めピン２８を貫通させるものである。そして、上記位置決め凹部３１に位置決めピン２８を貫通させた状態で、リア側サイドプレート１３の中心孔２７を凹部１３に形成した軸受凸部２０にはめることにより、図９に示すように、上記ピン２８と凹部１３とでリア側サイドプレート１２の回転方向の位置と径方向の位置とが決まる。すなわち、リア側サイドプレート１２に形成した一対の圧力導入部３２や背圧導入溝３３の相対位置が特定されるようにしている。なお、この位置決めピン３０も、それをリア側サイドプレート１２に圧入してもよいし、すき間ばめにしてもよい。さらに、前記カバーｃ側から突出したピン２８と、リア側サイドプレート１２に設けたピント３０とで、カムリング３やフロント側サイドプレート２の位置が決まる構成にしている。
【００２０】
また、底面１３ａに起立した位置決めピン２８にリア側サイドプレート１２の位置決め凹部３１をはめて、その位置決めピン２８を中心にしてリア側サイドプレート１２を回動させたとき、その中心孔２７の中心の回動軌跡が、軸受凸部２０の中心を通るようにしている。このように構成することによって、リア側サイドプレート１２を凹部１３に組み付けやすくなるが、それは次のとおりである。すなわち、リア側サイドプレート１２を凹部１３に組み込むときには、最初に位置決め凹部３１を位置決めピン２８にはめる。この状態で、リア側サイドプレート１２の位置決めピン３０をつまんで、上記位置決めピン２８を中心にリア側サイドプレート１２を回動させながら、中心孔２７を軸受凸部２０のあたりにもっていく。このとき、上記したように中心孔２７の中心の回動軌跡が軸受凸部２０の中心に一致しているので、軸受凸部２０の中心にあたりをつけながらリア側サイドプレート１２をその回動方向に振ることによって、軸受凸部２０に上記中心孔２７を簡単に一致させることができる。
【００２１】
上記のようにリア側サイドプレート１２に起立した位置決めピン３０は、カバーｃをボディｂに組み付けたとき、図２に示すように、カムリング３に形成した位置決め凹部３４にはまるようにしている。したがって、カムリング３は、上記底面１３ａに起立した位置決めピン２８とリア側サイドプレート１２に起立した位置決めピン３０とによって、その相対位置が特定されるとともに、ボディボア１内においてカムリング３の回動も阻止される。
【００２２】
また、この実施形態のように一対の位置決めピンのうち、一方の位置決めピン２８をカバーｃにおける凹部１３の底面１３ａに起立し、他方の位置決めピン３０をリア側サイドプレート１２に起立させるようにしたので、例えば、位置決めピン３０を起立させる位置を自由に設定できることになる。もし、位置決めピン３０を上記底面１３ａ内に起立させようとしたならば、吸い込み溝１４の位置を避けなければならない。しかし、カバーｃに吸い込み溝１４を形成したタイプのベーンポンプでは、その凹部１３内にピンを立てるゆとりが少なく、ピンを立てられる位置が必然的に決められてしまう。しかし、一方の位置決めピン２８を必然的に決められてしまう底面１３ａに起立し、他方の位置決めピン３０を位置的には自由度の高いリア側サイドプレート１２に起立させることによって、設計の自由度を確保することができる。
【００２３】
さらに、位置決めピン３０を、吸い込み溝１４の位置を避けて起立させようとすると、その起立位置は吸い込み溝１４よりも外側ということになる。このように位置決めピン３０を外側に設けるようにすれば、それに対応してカムリング３の位置決め凹部３４の位置も外側にしなければならない。ところが、カムリング３の位置決め凹部３４を外側にすればするほど、カムリング３の外径を大きくしなければならないが、カムリング３の外径を大きくすれば、その分、当該ポンプ全体が大型化してしまう。しかし、この実施形態のように位置決めピン２８をカバーｃにおける凹部１３の底面１３ａに起立し、他の位置決めピン３０をリア側サイドプレート１２に起立することによって、両位置決めピン２８，３０を相対的に内側に位置させることができ、当該ポンプの大型化を阻止することができる。
【００２４】
今、図示していない動力源の動力で回転軸５を回転すると、それにともなってロータ４が回転する。このようにロータ４が回転すると、ロータ４に設けたベーン７がカムリング３の内周に沿って出入し、それらベーン７で区画された室を拡張したり収縮したりする。そして、その室が拡張するとき、吸い込みポート１５および吸い込み溝１４等で構成される吸い込み通路から作動油を吸い込む吸い込み行程になり、上記室が収縮するとき吐出行程となる。
【００２５】
このとき、フロント側サイドプレート２に形成した高圧導入孔１１とリア側サイドプレート１２の圧力導入部３２とが円周方向にずれてそれらの対向位置が正確に定まっていないと、それが脈動の原因になることがあるが、その理由は次のとおりである。つまり、上記高圧導入孔１１および圧力導入部３２は、当該ポンプの吐出工程に対応する位置に形成されているために、そこには常に高圧が導かれることになる。これら高圧導入孔１１および圧力導入部３２に高圧が導かれるということは、そこを通過するベーン７の両側にも上記高圧導入孔１１および圧力導入部３２の高圧が作用することになる。このような状況の中で、高圧導入孔１１および圧力導入部３２の円周方向の相対位置がずれたりすると、ベーン７の両サイドに高圧が作用するタイミングがずれることになり、このタイミングのずれが脈動の原因になってしまう。しかし、この実施形態のように、一対の位置決めピン２８，３０でリア側サイドプレート１２とカムリング３およびフロント側サイドプレート１２との相対位置が特定されるので、高圧導入孔１１および圧力導入部３２の円周方向の相対位置がずれたりせず、したがって脈動も発生しない。また、図示していない吸い込み孔と高圧導入孔あるいは上記圧力導入部３２との相対位置がずれた場合にも、脈動の原因になるが、この実施形態ではそれも防止できる。
【図面の簡単な説明】
【００２６】
【図１】ベーンポンプの断面図である。
【図２】カバーを取り外した状態の正面図である。
【図３】部分断面図である。
【図４】リア側サイドプレートを外したカバー正面図である。
【図５】カバーの側面図である。
【図６】リア側サイドプレートの正面図である。
【図７】リア側サイドプレートの側面図である。
【図８】リア側サイドプレートの背面図である。
【図９】カバーにリア側サイドプレートを組み込んだ正面図である。
【符号の説明】
【００２７】
ｂ      ボディ
１      ボディボア
ｃ      カバー
２      フロント側サイドプレート
３      カムリング
４      ロータ
５      回転軸
６      ベーン溝
７      ベーン
１１      圧力導入部を構成する高圧導入孔
１２      リア側サイドプレート
１３      カバーの凹部
１３ａ    凹部の底面
２０      軸受凸部
２５      軸受穴
２６      軸受
２７      サイドプレートの中心孔
２８      位置決めピン
３０      位置決めピン
３１      位置決め凹部
３２      圧力導入部
【図１】
2006105032.tif 000003
【図２】
2006105032.tif 000004
【図３】
2006105032.tif 000005
【図４】
2006105032.tif 000006
【図５】
2006105032.tif 000007
【図６】
2006105032.tif 000008
【図７】
2006105032.tif 000009
【図８】
2006105032.tif 000010
【図９】
2006105032.tif 000011